(57)【要約】【課題】収納部内に収納された貨幣を、例えば用途に対応して区分けする。【解決手段】貨幣処理装置１は、貨幣を入金するための入金部１１０，２１０と、入金部から入金された貨幣の金種を識別する識別部１５０，２５０と、識別部１５０，２５０で識別された貨幣を収納するための複数の収納部１６０，２６０と、識別部１５０，２５０で識別された貨幣を対応する収納部１６０，２６０まで搬送する分岐搬送機構１２０，１２９，２２０，２２９と、入金された貨幣を収納する収納部１６０，２６０の優先順位を記憶する記憶部１５６，２５６と、識別部１５０，２５０で識別された情報及び記憶部１５６，２５６に記憶された情報に基づいて、識別部１５０，２５０で識別された貨幣を収納部１６０，２６０に収納するよう分岐搬送機構１２０，１２９，２２０，２２９を制御する制御部１５５，２５５と、を備えている。【選択図】図２
2015179446.tif 000002
【特許請求の範囲】
【請求項１】
貨幣を入金するための入金部と、
前記入金部から入金された貨幣の金種を識別する識別部と、
前記識別部で識別された貨幣を収納するための複数の収納部と、
前記識別部で識別された貨幣を対応する収納部まで搬送する分岐搬送機構と、
入金された貨幣を収納する前記収納部の優先順位を記憶する記憶部と、
前記識別部で識別された情報及び前記記憶部に記憶された情報に基づいて、前記識別部で識別された貨幣を対応する収納部に収納するよう前記分岐搬送機構を制御する制御部と、
を備えたことを特徴とする貨幣処理装置。
【請求項２】
前記記憶部は、少なくとも一つの収納部について定まった収納される貨幣の金種別枚数を記憶することを特徴とする請求項１に記載の貨幣処理装置。
【請求項３】
前記制御部は、予め定められた条件を満たさない貨幣を、前記優先順位にかかわらず、最も優先順位の低い収納部に収納するよう前記分岐搬送機構を制御することを特徴とする請求項１又は２のいずれかに記載の貨幣処理装置。
【請求項４】
前記記憶部は、最も優先順位の高い収納部に収納される貨幣の金額を記憶し、
前記制御部は、最も優先順位の高い収納部に金種混合状態で前記金額の貨幣を収納するよう前記分岐搬送機構を制御することを特徴とする請求項１乃至３のいずれか１項に記載の貨幣処理装置。
【請求項５】
前記記憶部は、最も優先順位の高い収納部に収納される貨幣の金種別枚数を記憶することを特徴とする請求項４に記載の貨幣処理装置。
【請求項６】
前記記憶部は、上から２番目以降の優先順位にある収納部であって下から２番目以上の優先順位にある収納部に収納される貨幣の金種別枚数を記憶し、
前記制御部は、上から２番目以降の優先順位にある収納部であって下から２番目以上の優先順位にある収納部に所定の金種の貨幣のみを収納するよう前記分岐搬送機構を制御することを特徴とする請求項１乃至５のいずれか１項に記載の貨幣処理装置。
【請求項７】
前記制御部は、最も優先順位の低い収納部に他の収納部に収納されない貨幣を収納するよう前記分岐搬送機構を制御することを特徴とする請求項１乃至６のいずれか１項に記載の貨幣処理装置。
【請求項８】
前記収納部は収納される貨幣の用途情報に対応付けて設定されることを特徴とする請求項１乃至７のいずれか１項に記載の貨幣処理装置。
【請求項９】
貨幣を収納し、収納された当該貨幣を繰り出し可能とし、収納された貨幣の用途情報に対応付けて設定された複数の収納部と、
前記収納部から繰り出された貨幣を出金するための出金部と、
操作部から収納部を特定する情報を入力することで、特定された収納部から貨幣を出金するよう制御する制御部と、
を備えたことを特徴とする貨幣処理装置。
【請求項１０】
前記制御部は、前記操作部から収納部を指定すると当該収納部内の全ての貨幣を出金する、又は、前記操作部から用途情報を指定すると当該用途情報に対応付けて設定された収納部内の全ての貨幣を出金するよう前記分岐搬送機構を制御することを特徴とする請求項９に記載の貨幣処理装置。
【請求項１１】
前記操作部から収納部と出金される貨幣の金額又は金種別枚数が指定されると、前記制御部は、当該収納部から指定された金額もしくは金種別枚数からなる貨幣を出金する、又は、前記操作部から用途情報と出金される貨幣の金額又は金種別枚数が指定されると、前記制御部は、当該用途情報に対応付けて設定された収納部から指定された金額もしくは金種別枚数からなる貨幣を出金するよう前記分岐搬送機構を制御することを特徴とする請求項９に記載の貨幣処理装置。
【請求項１２】
前記操作部から収納部と出金される貨幣の金額又は金種別枚数が指定された場合であって、当該収納部内に収納された貨幣の量では指定された金額又は金種別枚数の貨幣を出金できないときに、当該収納部以外の他の収納部に貨幣が収納されていても、貨幣が不足している旨報知する、又は、前記操作部から用途情報と出金される貨幣の金額又は金種別枚数が指定された場合であって、当該用途情報に対応付けて設定された収納部内に収納された貨幣の量では指定された金額又は金種別枚数の貨幣を出金できないときに、当該用途情報に対応づけられた収納部以外の他の収納部に貨幣が収納されていても、貨幣が不足している旨報知する、報知部をさらに備えたことを特徴とする請求項１１に記載の貨幣処理装置。
【請求項１３】
前記操作部から収納部と出金される貨幣の金額又は金種別枚数が指定された場合であって、当該収納部内に収納された貨幣の量では指定された金額又は金種別枚数の貨幣を出金できないときに、前記制御部は、当該収納部以外の他の収納部に貨幣が収納されていれば、自動的に又は所定の指令を受けた後で、足りない金額又は金種別枚数の貨幣を当該他の収納部から出金するよう前記分岐搬送機構を制御する、又は、前記操作部から用途情報と出金される貨幣の金額又は金種別枚数が指定された場合であって、当該用途情報に対応付けて設定された収納部内に収納された貨幣の量では指定された金額又は金種別枚数の貨幣を出金できないときに、前記制御部は、当該用途情報に対応づけられた収納部以外の他の収納部に貨幣が収納されていれば、自動的に又は所定の指令を受けた後で、足りない金額又は金種別枚数の貨幣を当該他の収納部から出金するよう制御することを特徴とする請求項１１に記載の貨幣処理装置。
【請求項１４】
各収納部又は各用途情報に対応した出金権限又は回収権限を記憶する記憶部をさらに備え、
前記記憶部に各用途情報に対応した出金権限又は回収権限が記憶されている場合には、当該用途情報は対応する収納部に紐付けられ、
各収納部内の貨幣は、当該収納部に対応した出金権限を有する者のみ出金可能となり、また、当該収納部に対応した回収権限を有する者のみが回収可能となることを特徴とする請求項１乃至１３のいずれか１項に記載の貨幣処理装置。
【請求項１５】
前記収納部を内部に設置するための筐体をさらに備え、
少なくとも一つの前記収納部は前記筐体に対して着脱可能となっていることを特徴とする請求項１乃至１４のいずれか１項に記載の貨幣処理装置。
【請求項１６】
貨幣処理装置を用いた貨幣処理方法において、
入金部から貨幣を入金することと、
前記入金部から入金された貨幣の金種を識別部で識別することと、
複数の収納部のうち対応する収納部に、前記識別部で識別された貨幣を収納することと、
を備え、
記憶部に入金された貨幣を収納すべき収納部の優先順位が記憶されており、前記収納部に貨幣を収納する際に、前記識別部で識別された情報及び前記記憶部に記憶された情報に基づいて、対応する収納部に貨幣を収納することを特徴とする貨幣処理方法。
【請求項１７】
貨幣処理装置を用いた貨幣処理方法において、
貨幣を収納した収納部から貨幣を繰り出すことと、
出金部から、前記収納部から繰り出された貨幣を出金することと、
を備え、
前記収納部は複数設けられ、
前記収納部は収納された貨幣の用途情報に対応付けて設定されており、
前記収納部から貨幣を出金する際に、操作部から収納部を特定する情報を入力することで、特定された収納部から貨幣を出金することを特徴とする貨幣処理方法。
【発明の詳細な説明】
【技術分野】
【０００１】
本発明は、貨幣を処理するための貨幣処理装置と、このような貨幣処理装置を用いた貨幣処理方法に関する。
【背景技術】
【０００２】
従来から、貨幣を入金するための入金部と、入金部から入金された貨幣の金種を識別する識別部と、識別部で識別された貨幣を収納するとともに収納された貨幣を繰り出す複数の金種別収納部と、金種別収納部から繰り出された貨幣を出金する出金部と、操作者が所定の情報を入力するための操作部と、を備えた売上入出金機が知られている（特許文献１及び２参照）。
【０００３】
従来の売上入出金機では、入金処理を行う際には、入金部から入金された貨幣を識別部で識別し、各貨幣の金種に対応した金種別収納部に貨幣を収納する態様となっている。また、出金処理を行う際には、操作部から出金金額や出金すべき金種別枚数が入力され、これら出金金額や出金すべき金種別枚数に対応する貨幣が金種別収納部から出金され、出金部から出金される態様となっている。
【先行技術文献】
【特許文献】
【０００４】
【特許文献１】特許第４３７７２０５号
【特許文献２】特開２０１０−２６２５６８号
【発明の概要】
【発明が解決しようとする課題】
【０００５】
このように、従来の売上入出金機では、各収納部に金種別に貨幣を収納することを前提としており、用途が異なる貨幣であっても、金種が同じ貨幣は混合状態で収納されている。このため、収納部内に収納された貨幣を、収納部内に収納した状態のままで例えば用途に対応して区分けしたりすることができない。
【０００６】
本発明は、このような点を鑑みてなされたものであり、収納部内に収納された貨幣を、収納部内に収納した状態のままで例えば用途に対応して区分けしたりすることができる貨幣処理装置を提供する。
【課題を解決するための手段】
【０００７】
本発明の第一態様による貨幣処理装置は、
貨幣を入金するための入金部と、
前記入金部から入金された貨幣の金種を識別する識別部と、
前記識別部で識別された貨幣を収納するための複数の収納部と、
前記識別部で識別された貨幣を対応する収納部まで搬送する分岐搬送機構と、
入金された貨幣を収納する前記収納部の優先順位を記憶する記憶部と、
前記識別部で識別された情報及び前記記憶部に記憶された情報に基づいて、前記識別部で識別された貨幣を対応する収納部に収納するよう前記分岐搬送機構を制御する制御部と、
を備えたことを特徴とする貨幣処理装置。
【０００８】
本発明の第一態様による貨幣処理装置において、
前記記憶部は、少なくとも一つの収納部について定まった収納される貨幣の金種別枚数を記憶してもよい。
【０００９】
本発明の第一態様による貨幣処理装置において、
前記制御部は、予め定められた条件を満たさない貨幣を、前記優先順位にかかわらず、最も優先順位の低い収納部に収納するよう前記分岐搬送機構を制御してもよい。
【００１０】
本発明の第一態様による貨幣処理装置において、
前記記憶部は、最も優先順位の高い収納部に収納される貨幣の金額を記憶し、
前記制御部は、最も優先順位の高い収納部に金種混合状態で前記金額の貨幣を収納するよう前記分岐搬送機構を制御してもよい。
【００１１】
本発明の第一態様による貨幣処理装置において、
前記記憶部は、最も優先順位の高い収納部に収納される貨幣の金種別枚数を記憶してもよい。
【００１２】
本発明の第一態様による貨幣処理装置において、
前記記憶部は、上から２番目以降の優先順位にある収納部であって下から２番目以上の優先順位にある収納部に収納される貨幣の金種別枚数を記憶し、
前記制御部は、上から２番目以降の優先順位にある収納部であって下から２番目以上の優先順位にある収納部に所定の金種の貨幣のみを収納するよう前記分岐搬送機構を制御してもよい。
【００１３】
本発明の第一態様による貨幣処理装置において、
前記制御部は、最も優先順位の低い収納部に他の収納部に収納されない貨幣を収納するよう前記分岐搬送機構を制御してもよい。
【００１４】
本発明の第一態様による貨幣処理装置において、
前記収納部は収納される貨幣の用途情報に対応付けて設定されてもよい。
【００１５】
本発明の第二態様による貨幣処理装置は、
貨幣を収納し、収納された当該貨幣を繰り出し可能とし、収納された貨幣の用途情報に対応付けて設定された複数の収納部と、
前記収納部から繰り出された貨幣を出金するための出金部と、
操作部から収納部を特定する情報を入力することで、特定された収納部から貨幣を出金するよう制御する制御部と、
を備える。
【００１６】
本発明の第二態様による貨幣処理装置において、
前記制御部は、前記操作部から収納部を指定すると当該収納部内の全ての貨幣を出金する、又は、前記操作部から用途情報を指定すると当該用途情報に対応付けて設定された収納部内の全ての貨幣を出金するよう前記分岐搬送機構を制御してもよい。
【００１７】
本発明の第二態様による貨幣処理装置において、
前記操作部から収納部と出金される貨幣の金額又は金種別枚数が指定されると、前記制御部は、当該収納部から指定された金額もしくは金種別枚数からなる貨幣を出金する、又は、前記操作部から用途情報と出金される貨幣の金額又は金種別枚数が指定されると、前記制御部は、当該用途情報に対応付けて設定された収納部から指定された金額もしくは金種別枚数からなる貨幣を出金するよう前記分岐搬送機構を制御してもよい。
【００１８】
本発明の第二態様による貨幣処理装置において、
前記操作部から収納部と出金される貨幣の金額又は金種別枚数が指定された場合であって、当該収納部内に収納された貨幣の量では指定された金額又は金種別枚数の貨幣を出金できないときに、当該収納部以外の他の収納部に貨幣が収納されていても、貨幣が不足している旨報知する、又は、前記操作部から用途情報と出金される貨幣の金額又は金種別枚数が指定された場合であって、当該用途情報に対応付けて設定された収納部内に収納された貨幣の量では指定された金額又は金種別枚数の貨幣を出金できないときに、当該用途情報に対応づけられた収納部以外の他の収納部に貨幣が収納されていても、貨幣が不足している旨報知する、報知部をさらに備えてもよい。
【００１９】
本発明の第二態様による貨幣処理装置において、
前記操作部から収納部と出金される貨幣の金額又は金種別枚数が指定された場合であって、当該収納部内に収納された貨幣の量では指定された金額又は金種別枚数の貨幣を出金できないときに、前記制御部は、当該収納部以外の他の収納部に貨幣が収納されていれば、自動的に又は所定の指令を受けた後で、足りない金額又は金種別枚数の貨幣を当該他の収納部から出金するよう前記分岐搬送機構を制御する、又は、前記操作部から用途情報と出金される貨幣の金額又は金種別枚数が指定された場合であって、当該用途情報に対応付けて設定された収納部内に収納された貨幣の量では指定された金額又は金種別枚数の貨幣を出金できないときに、前記制御部は、当該用途情報に対応づけられた収納部以外の他の収納部に貨幣が収納されていれば、自動的に又は所定の指令を受けた後で、足りない金額又は金種別枚数の貨幣を当該他の収納部から出金するよう制御してもよい。
【００２０】
本発明による貨幣処理装置において、
各収納部又は各用途情報に対応した出金権限又は回収権限を記憶する記憶部をさらに備え、
前記記憶部に各用途情報に対応した出金権限又は回収権限が記憶されている場合には、当該用途情報は対応する収納部に紐付けられ、
各収納部内の貨幣は、当該収納部に対応した出金権限を有する者のみ出金可能となり、また、当該収納部に対応した回収権限を有する者のみが回収可能となってもよい。
【００２１】
本発明による貨幣処理装置において、
前記収納部を内部に設置するための筐体をさらに備え、
少なくとも一つの前記収納部は前記筐体に対して着脱可能となっていてもよい。
【００２２】
本発明の第一態様による貨幣処理方法は、
貨幣処理装置を用いた貨幣処理方法であって、
入金部から貨幣を入金することと、
前記入金部から入金された貨幣の金種を識別部で識別することと、
複数の収納部のうち対応する収納部に、前記識別部で識別された貨幣を収納することと、
を備え、
記憶部に入金された貨幣を収納すべき収納部の優先順位が記憶されており、前記収納部に貨幣を収納する際に、前記識別部で識別された情報及び前記記憶部に記憶された情報に基づいて、対応する収納部に貨幣を収納する。
【００２３】
本発明の第二態様による貨幣処理方法は、
貨幣処理装置を用いた貨幣処理方法であって、
貨幣を収納した収納部から貨幣を繰り出すことと、
出金部から、前記収納部から繰り出された貨幣を出金することと、
を備え、
前記収納部は複数設けられ、
前記収納部は収納された貨幣の用途情報に対応付けて設定されており、
前記収納部から貨幣を出金する際に、操作部から収納部を特定する情報を入力することで、特定された収納部から貨幣を出金する。
【発明の効果】
【００２４】
本発明によれば、記憶部が入金された貨幣を収納する収納部の優先順位を記憶し、制御部が、識別部で識別された情報及び記憶部に記憶された情報に基づいて、識別部で識別された貨幣を収納部に収納するよう分岐搬送機構を制御する。このため、収納部内に収納された貨幣を、収納部内に収納した状態のままで例えば用途に対応して区分けすることができる。
【図面の簡単な説明】
【００２５】
【図１】図１は、本発明の実施の形態による貨幣処理システムの全体構成の一例を示す概略図である。
【図２】図２は、本発明の実施の形態による貨幣処理装置の外観を示す正面図である。
【図３】図３は、本発明の実施の形態で用いられる紙幣処理装置の内部構成を示す概略側方図である。
【図４】図４は、本発明の実施の形態で用いられる硬貨処理装置の内部構成を示す概略上方平面図である。
【図５】図５は、本発明の実施の形態で用いられる硬貨処理装置の内部構成を示す概略前面図である。
【図６】図６は、本発明の実施の形態で用いられる硬貨処理装置の内部構成を示す概略側方図である。
【図７】図７は、本発明の実施の形態による貨幣処理装置のうち紙幣処理装置、硬貨処理装置、操作端末及び上位装置の接続態様を示す制御ブロック図である。
【図８】図８は、本発明の実施の形態で用いられるカセット解錠機の斜視図である。
【発明を実施するための形態】
【００２６】
実施の形態
《構成》
以下、本発明に係る貨幣処理装置１の実施の形態について、図面を参照して説明する。ここで、図１乃至図８は本発明の実施の形態を説明するための図である。なお、本願において「貨幣」とは、紙幣、硬貨、又は、紙幣及び硬貨の両方のことを意味している。
【００２７】
図１に示すように、パチンコ店等の遊技施設は、遊技機６００、台間機６１０及び島端ボックス６２０を含む複数の遊技島、現金の両替を行う両替機６３０、並びに、飲料やたばこ等を販売する自動販売機６４０等が設置された遊技フロアーと、景品管理機６５０、景品払出機６６０及び景品棚６７０等が設置された景品カウンターと、これら遊技フロアー及び景品カウンターから隔離され、遊技施設の事務員等が常駐して遊技施設の管理等を行う事務所とを有している。一例として、本実施の形態の貨幣処理装置１は、パチンコ店等の遊技施設の事務所に設置される。なお、パチンコ店等の遊技施設の外部には、景品を買い取る景品買取所６９０が設置されている。
【００２８】
本実施の形態の貨幣処理装置１は、貨幣を入出金することができ、例えば売上を入出金するための貨幣入出金装置からなっている。図２に示すように、貨幣処理装置１は、紙幣の入出金の処理を行う紙幣入出金機等からなる紙幣処理装置１００と、硬貨の入出金の処理を行う硬貨入出金機等からなる硬貨処理装置２００と、操作者が操作信号を入力するための操作部４１０及び様々な情報を表示する表示部４２０を有する操作端末４００と、様々な情報を印字するためのプリンタ等の印字部４５０とを備えている。操作端末４００には、管理装置等の上位装置５００（図７参照）が接続されている。なお、操作端末４００は、図７に示すように、操作端末を制御する操作制御部４５５と、様々な情報を記憶する操作記憶部４５６と、操作者が携帯するＩＤカード等のＩＤ情報の読み取りを行うためのカード読取部４３０も有している。また、図２に示すように、貨幣処理装置１は、所定枚数の硬貨を包装した包装硬貨（いわゆる棒金）を出金するための包装硬貨出金装置２９０を備えていてもよい。この包装硬貨出金装置２９０では、操作部４１０から入力された指示に基づいて、指定された金種及び本数の包装硬貨を出金するようになっている。なお、本実施の形態では、操作端末４００の操作部４１０と表示部４２０が別体となっている態様を用いて説明するが、これに限られることはなく、タッチパネル等からなり操作部と表示部とが一体となって操作表示部を構成する態様を採用することもできる。
【００２９】
図２に示すように、本実施の形態の貨幣処理装置１はカセット解錠機３００も備えている。このカセット解錠機３００は、遊技フロアーや景品カウンターに設置された機器から回収された紙幣カセットを取り付けて当該紙幣カセットのロック部（図示せず）のロックを解錠するためのものである。
【００３０】
ちなみに、本実施の形態では、図３に示す全ての紙幣収納部１６０が紙幣筐体１０１に対して着脱自在となったカセット式である態様を用いて説明するが、これに限られることはなく、例えば最も前面側（図３の最も左側）に位置する紙幣収納部１６０ａのみが紙幣筐体１０１に対して着脱自在となり、その他の紙幣収納部１６０ｂ−１６０ｄは紙幣筐体１０１に対して着脱自在にはなっていない態様を採用することもできる。一例として、各紙幣収納部１６０ａ−１６０ｄには３０００枚の紙幣を収納することができる。
【００３１】
［紙幣処理装置１００］
まず、紙幣処理装置１００に関して説明する。
【００３２】
図３に示すように、本実施の形態による紙幣処理装置１００は、略直方体形状の紙幣筐体１０１と、この紙幣筐体１０１の前面に設けられ当該紙幣筐体１０１の外部から内部に紙幣を入金するとともに紙幣筐体１０１の内部から外部に紙幣を出金するための紙幣入出金部１１０と、紙幣筐体１０１の内部において紙幣入出金部１１０から入金された紙幣を一枚ずつ搬送する紙幣搬送部１２０と、紙幣搬送部１２０で搬送される紙幣を識別する紙幣識別部１５０と、紙幣識別部１５０で識別された紙幣を一時的に保留する１つの入金紙幣一時保留部１６１と、紙幣識別部１５０で識別された紙幣を収納するための複数（本実施の形態では４つ）の紙幣収納部１６０とを有している。本実施の形態では、紙幣搬送部１２０の下方に、４つの紙幣収納部１６０及び１つの入金紙幣一時保留部１６１が略水平方向に沿って並列に設けられており、最も後面側に入金紙幣一時保留部１６１が配置されている。なお、本実施の形態では、紙幣入出金部１１０が、外部から紙幣筐体１０１内に紙幣を入金するための紙幣入金部及び紙幣収納部１６０から繰り出された紙幣を出金するための紙幣出金部の両方の機能を兼ねている態様を用いて説明するが、これに限られることはなく、紙幣入金部と紙幣出金部とが別々になっていてもよい。
【００３３】
上述した紙幣入出金部１１０は、操作者がこの紙幣入出金部１１０に紙幣を投入したりこの紙幣入出金部１１０から紙幣を取り出したりすることができるよう構成されている。より具体的には、図３に示すように紙幣入出金部１１０は鉛直方向に対して斜めに傾斜しており、この紙幣入出金部１１０には紙幣が斜めに傾斜して投入されるようになっている。紙幣入出金部１１０は紙幣繰出機構１１１を有しており、この紙幣繰出機構１１１により紙幣入出金部１１０に集積された紙幣が１枚ずつ紙幣搬送部１２０に繰り出されるようになっている。また、紙幣の出金処理を行う際には、紙幣搬送部１２０から紙幣が１枚ずつ紙幣入出金部１１０に送られるようになっている。紙幣入出金部１１０には開口部が設けられており、この開口部にはシャッター機構１１５が設けられている。そして、シャッター機構１１５により紙幣入出金部１１０の開口部の開閉が行われるようになっている。
【００３４】
図３に示す紙幣識別部１５０は、紙幣入出金部１１０から紙幣搬送部１２０に繰り出された紙幣の金種、正損、真偽、方向、表裏等を識別するようになっている。また、紙幣識別部１５０では、紙幣が斜行していないか、紙幣が重送していないか、前後の紙幣が連鎖していないか等の搬送状態も識別される。紙幣識別部１５０による識別結果は後述する紙幣制御部１５５（図７参照）に送られることとなる。
【００３５】
また、紙幣筐体１０１の内部には入金紙幣リジェクト部１７０が設けられており、この入金紙幣リジェクト部１７０は紙幣搬送部１２０に連結されている。そして、入金された紙幣のうち紙幣識別部１５０により正常な紙幣ではないと識別された紙幣や、紙幣識別部１５０により識別することができなかった紙幣は紙幣搬送部１２０によって入金紙幣リジェクト部１７０に送られるようになっている。
【００３６】
また、紙幣筐体１０１の内部には出金紙幣リジェクト部１８０が設けられており、この出金紙幣リジェクト部１８０は紙幣搬送部１２０に連結されている。そして、出金の際に紙幣収納部１６０から繰り出された紙幣のうち、紙幣識別部１５０により正常な紙幣ではないと識別された紙幣や、紙幣識別部１５０により識別することができなかった紙幣は紙幣搬送部１２０から出金紙幣リジェクト部１８０に送られるようになっている。
【００３７】
図３に示すように、各紙幣収納部１６０及び入金紙幣一時保留部１６１は、紙幣筐体１０１の前後方向（図３の左右方向）に沿って並列に配置されている。各紙幣収納部１６０及び入金紙幣一時保留部１６１にはそれぞれ紙幣搬送部１２０から１枚ずつ紙幣が送られるようになっている。ここで、各紙幣収納部１６０及び入金紙幣一時保留部１６１はそれぞれ扁平状の略直方体形状のものからなり、紙幣搬送部１２０から送られた紙幣が積層状態に収納されるようになっている。
【００３８】
本実施の形態の紙幣収納部１６０の各々は、紙幣収納部１６０に収納された紙幣を紙幣搬送部１２０に一枚ずつ繰り出すための紙幣繰出機構１６５を有しており、紙幣収納部１６０に収納された紙幣を紙幣搬送部１２０に自在に繰り出すことができるようになっている。同様に、入金紙幣一時保留部１６１も、入金紙幣一時保留部１６１に収納された紙幣を紙幣搬送部１２０に一枚ずつ繰り出すための紙幣繰出機構１６６を有しており、紙幣収納部１６０に収納された紙幣を紙幣搬送部１２０に自在に繰り出すことができるようになっている。なお、本実施の形態では、全ての紙幣収納部１６０から紙幣を繰り出せる態様を用いて説明するが、これに限られることはなく、例えば、後述する売上金が収納される紙幣収納部１６０は紙幣を受け入れることができるだけであり、紙幣を紙幣搬送部１２０に繰り出すことができないようになっていてもよい。なお、このように紙幣を紙幣搬送部１２０に繰り出すことができない紙幣収納部１６０は、例えば最も前面側に位置する紙幣収納部１６０ａである。
【００３９】
なお、入金紙幣一時保留部１６１は各紙幣収納部１６０と略同一の容量（紙幣収納量）を有していてもよい。この場合には、入金紙幣一時保留部１６１を紙幣収納部１６０の各々と同一部品で構成してもよい。
【００４０】
図３に示すように、紙幣搬送部１２０は、各紙幣収納部１６０及び入金紙幣一時保留部１６１の上方に配置され、縦断面で見たときに横長のループ形状となったループ状搬送路１２１を有している。また、紙幣搬送部１２０は、ループ状搬送路１２１からそれぞれ下方に分岐して３つの紙幣収納部１６０及び入金紙幣一時保留部１６１に接続される８つの分岐搬送路１２２を有している。このため、図３に示すように、紙幣搬送部１２０には、ループ状搬送路１２１と８つの分岐搬送路１２２とが接続される箇所であるＹ字形状の分岐路が４つ形成されることとなる。
【００４１】
なお、紙幣搬送部１２０は、紙幣を搬送するための搬送ローラや搬送ベルト等と、これら搬送ローラや搬送ベルト等を駆動する駆動部とを有している。また、紙幣搬送部１２０の搬送路の分岐箇所の各々には、分岐爪からなる分岐部材１２９が設けられている。そして、搬送ローラや搬送ベルトによって搬送される紙幣は、分岐部材１２９で適宜案内されることで、所定の搬送路を通って搬送されることとなる。なお、特許請求の範囲の「分岐搬送機構」は、紙幣筐体１０１内で貨幣を所定の搬送路に沿って搬送するための機構であり、本実施の形態の紙幣処理装置１００においては紙幣搬送部１２０及び分岐部材１２９を含む機構となっている。
【００４２】
紙幣入出金部１１０から入金された紙幣は、ループ状搬送路１２１まで搬送され、当該ループ状搬送路１２１で図３において時計回りで搬送されて入金紙幣一時保留部１６１で一時的に保留される。そして、操作者が操作部４１０を操作して入金確定処理を選択することで、入金紙幣一時保留部１６１で一時的に保留された紙幣が紙幣繰出機構１６５によって入金紙幣一時保留部１６１からループ状搬送路１２１に繰り出され、当該ループ状搬送路１２１を図３において反時計回りで搬送されて、対応する紙幣収納部１６０に一枚ずつ収納されることとなる。
【００４３】
また、紙幣搬送部１２０には複数のセンサ１３０が設けられている。このセンサ１３０は、光を発光する発光部と、発光部で発光された光を受光する受光部とを有している。そして、発光部で発光された光が受光部で受光されないことをもって、後述する紙幣制御部１５５が当該発光部と受光部との間を紙幣が通過したものとして判断する。
【００４４】
図７に示すように、紙幣処理装置１００は、様々な情報を記憶するための紙幣記憶部１５６と、この紙幣処理装置１００を制御する紙幣制御部１５５も有している。この紙幣制御部１５５には、紙幣入出金部１１０、紙幣搬送部１２０、分岐部材１２９、紙幣識別部１５０、紙幣記憶部１５６、紙幣収納部１６０、入金紙幣一時保留部１６１、入金紙幣リジェクト部１７０、出金紙幣リジェクト部１８０及び各種センサ１３０が接続されている。そして、紙幣制御部１５５は、これら紙幣入出金部１１０、紙幣搬送部１２０、分岐部材１２９、紙幣識別部１５０、紙幣記憶部１５６、紙幣収納部１６０、入金紙幣一時保留部１６１、入金紙幣リジェクト部１７０、出金紙幣リジェクト部１８０及び各種センサ１３０から情報を取得したり、これらに対して指令を与えたりするようになっている。なお、紙幣処理装置１００には操作端末４００が接続されており、紙幣処理装置１００はこの操作端末４００を介して上位サーバ等の上位装置５００に接続されている。そして、紙幣処理装置１００には操作端末４００や上位装置５００から指令が送られ、紙幣処理装置１００からは操作端末４００や上位装置５００に様々な情報が送られるようになっている。また、操作制御部４５５には、操作部４１０、表示部４２０、カード読取部４３０、操作記憶部４５６、上位装置５００、包装硬貨出金装置２９０、紙幣制御部１５５及び後述する硬貨制御部２５５が接続されている。そして、操作制御部４５５は、これら操作部４１０、表示部４２０、カード読取部４３０、操作記憶部４５６、上位装置５００、包装硬貨出金装置２９０、紙幣制御部１５５及び硬貨制御部２５５から情報を取得したり、これらに対して指令を与えたりするようになっている。
【００４５】
なお、入金処理や、出金処理及び回収処理の際には、選択可能なメニューが表示部４２０（図２参照）に表示されることとなるが、表示される項目の内容は操作者の権限によって異なっており、当該操作者が選択可能な項目のみが表示されることとなる。なお、操作者の権限は、操作部４１０から手入力された際の識別情報やカード読取部４３０で読み取られた識別情報から判断されることとなる。
【００４６】
図３に示す４つの紙幣収納部１６０は、収納される紙幣の用途情報に対応付けられて設定されており、例えば、パチンコ店における景品支払金を前面側から２つ目の紙幣収納部１６０ｂが収納し、パチンコ店における両替資金を前面側から３つ目の紙幣収納部１６０ｃが収納し、パチンコ店における予備資金を前面側から４つ目の紙幣収納部１６０ｄが収納し、パチンコ店における売上金を前面側から１つ目の紙幣収納部１６０ａが収納するようにしてもよい。ちなみに、本実施の形態の紙幣処理装置１００では、紙幣収納部１６０を紙幣筐体１０１から前面側に引き出すことができる段階を設定することができるようになっている。そして例えば、警送業者は売上金を収納した紙幣収納部１６０ａしか引き出すことができず、景品交換業者又は景品交換業者から委託を受けた者は売上金を収納した紙幣収納部１６０ａ及び景品支払金を収納した紙幣収納部１６０ｂを紙幣筐体１０１から前面側に引き出すことができ、店舗内責任者は４つの紙幣収納部１６０の全てを紙幣筐体１０１から前面側に引き出すことができるようになっていてもよい。なお、各紙幣収納部１６０は紙幣筐体１０１に対して施錠されるようになっていてもよく、解錠することではじめて各紙幣収納部１６０を紙幣筐体１０１から取り外して回収できるようにしてもよい。各紙幣収納部１６０を紙幣筐体１０１に対してロックするためのロック機構は、物理的に鍵穴に鍵を入れて解錠するタイプのものであってもよいし、電磁ロックであってもよい。なお、ロック機構として電磁ロックを採用した場合には、操作部４１０から手入力された際の識別情報やカード読取部４３０で読み取られた識別情報から操作者の権限を判断して、電磁ロックを解除するようにしてもよい。
【００４７】
上述した紙幣記憶部１５６は、入金された紙幣を収納する紙幣収納部１６０の優先順位を記憶するようになっている。そして、紙幣制御部１５５は、紙幣識別部１５０で識別された情報及び紙幣記憶部１５６に記憶された情報に基づいて、紙幣識別部１５０で識別された紙幣を対応する紙幣収納部１６０に収納するよう分岐搬送機構１２０，１２９を制御するようになっていてもよい。なお、紙幣制御部１５５は、予め定められた条件を満たさない紙幣を、優先順位にかかわらず、最も優先順位の低い紙幣収納部１６０（例えば売上金を収納する紙幣収納部１６０ａ）に収納するよう分岐搬送機構１２０，１２９を制御するようになっている。ちなみに、予め定められた条件を満たさない紙幣とは、例えば、紙幣識別部１５０で流通量の少ない金種であると判断された紙幣（例えば２０００円紙幣）であったり、紙幣識別部１５０で識別可能であるが汚損していると判断された紙幣であったりする。
【００４８】
紙幣記憶部１５６は、最も優先順位の高い紙幣収納部１６０に収納される紙幣の金種及び合計金額を記憶し、紙幣制御部１５５は、最も優先順位の高い紙幣収納部１６０に金種混合状態で当該合計金額の紙幣を収納するよう分岐搬送機構１２０，１２９を制御するようになっていてもよい。なお、最も優先順位の高い紙幣収納部１６０には、例えばパチンコ店における景品支払金が収納される。この景品支払金とは、パチンコ店の景品交換用の現金であり、景品買取所６９０へ補充されるものである。紙幣記憶部１５６で記憶される紙幣の金額や（後述するような）金種別枚数は曜日や祝祭日等に応じて設定されてもよく、土曜日及び日曜日前であれば他の曜日の前と比較して多い金額や金種別枚数が設定されていたり、土曜日、日曜日及び祝日前であれば平日前と比較して多い金額や金種別枚数が設定されていたりしてもよい。
【００４９】
また、紙幣記憶部１５６は、少なくとも一つの紙幣収納部１６０について定まった収納される紙幣の金種別枚数を記憶していてもよい。本実施の形態では、紙幣記憶部１５６が、上から２番目以降の優先順位にある紙幣収納部１６０であって下から２番目以上の優先順位にある紙幣収納部１６０、本実施の形態で言うと両替資金を収納するための紙幣収納部１６０ｃ及び予備資金を収納するための紙幣収納部１６０ｄに収納される紙幣の金種別枚数を記憶するようになっていてもよい。また、紙幣記憶部１５６は、最も優先順位の高い紙幣収納部１６０に収納される紙幣の金種別枚数を記憶していてもよい。
【００５０】
本実施の形態の紙幣制御部１５５は、上から２番目以降の優先順位にある紙幣収納部１６０であって下から２番目以上の優先順位にある紙幣収納部１６０、本実施の形態で言うと両替資金を収納するための紙幣収納部１６０ｃ及び予備資金を収納するための紙幣収納部１６０ｄに所定の金種の紙幣のみを収納するよう分岐搬送機構１２０，１２９を制御するようになっていてもよい。
【００５１】
なお、両替資金とは、パチンコ店のホールに設置された両替機６３０に装填するための資金であり、主として１０００円紙幣及び５０００円紙幣から構成されている。また、予備資金とは、パチンコ店のホール内の資金が不足した場合のための資金であり、主として１０００円紙幣から構成されている。このため、両替資金を収納するための紙幣収納部１６０に関しては、１０００円紙幣及び５０００円紙幣のみを収納するように設定することができ、予備資金を収納するための紙幣収納部１６０に関しては、１０００円紙幣のみを収納するように設定することができる。
【００５２】
本実施の形態の紙幣処理装置１００において紙幣を出金する際には、操作部４１０から紙幣収納部１６０を特定する情報を入力することで、紙幣制御部１５５が特定された紙幣収納部１６０から紙幣を出金する。より具体的には、紙幣制御部１５５は、例えば、操作部４１０から紙幣収納部１６０を指定することで当該紙幣収納部１６０から紙幣を出金するように制御したり、操作部４１０から用途情報、例えば景品支払金、両替資金、予備資金及び売上金のいずれかを指定することで当該用途情報に対応付けられた紙幣収納部１６０から紙幣を出金するよう制御したりする。なお、本実施の形態では、「景品支払金」という用途に前から２番目の紙幣収納部１６０ｂが対応付けられて設定され、「両替資金」という用途に前から３番目の紙幣収納部１６０ｃが対応付けられて設定され、「予備資金」という用途に前から４番目の紙幣収納部１６０ｄが対応付けられて設定され、「売上金」という用途に前から１番目の紙幣収納部１６０ａが対応づけられて設定されてもよい。ちなみに、この対応付けは一例であり、適宜変更することができる点には留意が必要である。
【００５３】
なお、紙幣収納部１６０から繰り出された紙幣はループ状搬送路１２１で図３において反時計回りで搬送されて、紙幣識別部１５０で識別される。そして、紙幣識別部１５０により正常な紙幣ではないと識別された紙幣や、紙幣識別部１５０により識別することができなかった紙幣は紙幣搬送部１２０から出金紙幣リジェクト部１８０に送られる。他方、紙幣識別部１５０により正常な紙幣であるとして識別された紙幣は、紙幣入出金部１１０に送られる。
【００５４】
紙幣を紙幣収納部１６０から出金する際には様々な態様を採用することができる。一例として、紙幣制御部１５５は、操作部４１０から紙幣収納部１６０を指定すると当該紙幣収納部１６０内の全ての紙幣を出金する、又は、操作部４１０から用途情報を指定すると当該用途情報に対応付けられた紙幣収納部１６０内の全ての紙幣を出金するよう制御するものを挙げることができる。
【００５５】
また、出金したい金額又は金種別枚数を指定することができるようになっており、（１）操作部４１０から紙幣収納部１６０と出金される紙幣の金額もしくは金種別枚数が指定されると、紙幣制御部１５５は、当該紙幣収納部１６０から指定された金額又は金種別枚数からなる紙幣を出金する、又は、（２）操作部４１０から用途情報と出金される紙幣の金額もしくは金種別枚数が指定されると、紙幣制御部１５５は、当該用途情報に対応付けられた紙幣収納部１６０から指定された金額又は金種別枚数からなる紙幣を出金するよう制御するものを挙げることができる。ちなみに、紙幣収納部１６０から繰り出された紙幣のうち指定された金種と異なる紙幣は、入金紙幣一時保留部１６１で一時的に保留され、出金処理が完了した後で、入金紙幣一時保留部１６１から繰り出され、ループ状搬送路１２１で図３において反時計回りで搬送されて元の紙幣収納部１６０に戻されることとなる。
【００５６】
そして、このような態様においては、（１）操作部４１０から紙幣収納部１６０と出金される紙幣の金額又は金種別枚数が指定された場合であって、当該紙幣収納部１６０内に収納された紙幣の量では指定された金額又は金種別枚数の貨幣を出金できないときに、当該紙幣収納部１６０以外の他の紙幣収納部１６０に紙幣が収納されていても、紙幣が不足している旨を表示部４２０や外部の表示装置等の報知部で報知したり、又は、（２）操作部４１０から用途情報と出金される紙幣の金額又は金種別枚数が指定された場合であって、当該用途情報に対応付けられた紙幣収納部１６０内に収納された紙幣の量では指定された金額又は金種別枚数の貨幣を出金できないときに、当該用途情報に対応づけられた紙幣収納部１６０以外の他の紙幣収納部１６０に紙幣が収納されていても、紙幣が不足している旨を表示部４２０や外部の表示装置等の報知部で報知したりする態様を採用することができる。
【００５７】
また、このような態様とは異なり、（１）操作部４１０から紙幣収納部１６０と出金される紙幣の金額又は金種別枚数が指定された場合であって、当該紙幣収納部１６０内に収納された紙幣の量では指定された金額又は金種別枚数の貨幣を出金できないときに、紙幣制御部１５５が、当該紙幣収納部１６０以外の他の紙幣収納部１６０に紙幣が収納されていれば、自動的に又は操作部４１０から操作者によって入力される承認指令といった所定の指令を受けた後で、足りない金額又は金種別枚数の紙幣を当該他の紙幣収納部１６０から出金するよう制御したり、又は、（２）操作部４１０から用途情報と出金される紙幣の金額又は金種別枚数が指定された場合であって、当該用途情報に対応付けられた紙幣収納部１６０内に収納された紙幣の量では指定された金額又は金種別枚数の貨幣を出金できないときに、紙幣制御部１５５が、当該用途情報に対応づけられた紙幣収納部１６０以外の他の紙幣収納部１６０に紙幣が収納されていれば、自動的に又は操作部４１０から操作者によって入力される承認指令といった所定の指令を受けた後で、足りない金額又は金種別枚数の紙幣を当該他の紙幣収納部１６０から出金するよう制御したりする態様を採用することもできる。
【００５８】
本実施の形態の紙幣記憶部１５６は、各紙幣収納部１６０又は各用途情報に対応した出金権限及び回収権限も記憶している。このうち紙幣記憶部１５６に各用途情報に対応した出金権限及び回収権限が記憶されている態様を採用した場合には、当該用途情報は対応する紙幣収納部１６０に紐付けられている。そして、各紙幣収納部１６０内の紙幣は、当該紙幣収納部１６０に対応した出金権限を有する者のみが出金可能となり、また、回収権限を有する者のみが回収可能となる。回収方法としては様々な態様のものを挙げることができ、例えば、紙幣収納部１６０ａ−１６０ｄの各々又は少なくとも一つ以上が紙幣筐体１０１に対して着脱可能となっており（カセット式になっており）、紙幣収納部１６０を紙幣筐体１０１から取り外して機外に取り出した後で当該紙幣収納部１６０内の紙幣を取り出すことで紙幣を回収する方法や、紙幣収納部１６０内の紙幣を掴み取る等して機外に取り出すことで紙幣を回収する方法や、紙幣収納部１６０内の紙幣を紙幣搬送部１２０に繰り出し、このように繰り出した紙幣を紙幣入出金部１１０に出金することで回収する方法等を挙げることができる。
【００５９】
一例を示すと、売上金を収納した紙幣収納部１６０ａからの紙幣の出金及び／又は回収は警送業者のみが可能となり、景品支払金を収納した紙幣収納部１６０ｂからの紙幣の出金及び／又は回収は景品交換業者又は景品交換業者から委託を受けた者のみが可能となり、両替資金を収納した紙幣収納部１６０ｃからの紙幣の出金及び／又は回収はパチンコ店舗内の所定の責任者Ａのみが可能となり、予備資金を収納した紙幣収納部１６０ｄからの紙幣の出金及び／又は回収はパチンコ店舗内の所定の責任者Ｂのみが可能となる。なお、責任者Ａ及び責任者Ｂの各々は複数いてもよいし、責任者Ａ及び責任者Ｂが同一の人物であったり、責任者Ａ及び責任者Ｂには重複する人物が含まれていてもよい。
【００６０】
なお、本実施の形態において、紙幣制御部１５５は、最も優先順位の低い紙幣収納部１６０には他の紙幣収納部１６０に収納されない紙幣を収納するよう分岐搬送機構１２０，１２９を制御するようになっている。なお、本実施の形態では、最も優先順位の低い紙幣収納部１６０に、例えばパチンコ店における売上金が収納される。
【００６１】
上述したカセット解錠機３００には、遊技フロアーや景品カウンターに設置された機器から回収された紙幣カセットを装填することができるようになっている。図８に示すように、カセット解錠機３００は、紙幣カセットを後面側に押し込むことができるスライドベース部３１０と、紙幣カセットの押し込みを規制したりその規制を解除したりすることができ、スライド可能なカバー部３２０と、紙幣カセットのロック部を解錠するためのロック解錠部３３０と、紙幣カセットの状態等の所定の情報を表示するＬＥＤ等からなる表示部３４０とを有している。 
【００６２】
ロック解錠部３３０は、その内部にキー（図示せず）を有しており、紙幣カセットを後面側に押し込むことに連動してキーが回動されて、紙幣カセットのロック部のロックが解錠される。なお、ロック解錠部３３０は、キーを回動させるモータ部を有していてもよい。このようなモータ部を有する場合には、紙幣カセットのロック部に当該キーが差し込まれ、モータ部でキーが回動されることで、ロック部のロックが解錠されることとなる。 
【００６３】
紙幣カセットは、短手方向であって水平方向に延在する揺動軸（図示せず）を有し、紙幣カセットの上方筐体部が下方筐体部に対して当該揺動軸を中心に上下方向に揺動自在となっている。そして、ロック部でロックされているときには、紙幣カセットの上方筐体部は下方筐体部に対して揺動軸を中心として揺動することができないが、ロック部のロックが解錠されることで、上方筐体部が揺動軸を中心として上下方向に揺動することができる。そして、上方筐体部が上方に揺動されることで、紙幣カセット内に収容された紙幣を取り出すことができるようになる。 
【００６４】
［硬貨処理装置２００］
上記では主に紙幣処理装置１００を用いて説明したが、同様の構成を硬貨処理装置２００でも採用することができる。以下では、硬貨処理装置２００においても上述した紙幣処理装置１００と同様の態様を採用した場合について説明するが、あくまでも一例であり、このような態様を必ずしも採用する必要がないことには留意が必要である。つまり、硬貨処理装置２００は以下で説明するように用途別に硬貨を収納するのではなく、金種別に硬貨を収納し、必要な金種の硬貨を適宜出金するようにしてもよい。
【００６５】
図４乃至図６に示すように、本実施の形態の硬貨処理装置２００は、略直方体形状の硬貨筐体２０１を備えており、この硬貨筐体２０１の上面には硬貨の硬貨入金部２１０が設けられている。硬貨入金部２１０は、供給ホッパ２１１と、この供給ホッパ２１１から硬貨が送られる繰出ホッパ２１２とを有している。また、繰出ホッパ２１２には略水平方向に延びる硬貨搬送部２２０が連結されており、繰出ホッパ２１２に収容された硬貨は１枚ずつ硬貨搬送部２２０に繰り出されるようになっている。また、図４に示すように、硬貨搬送部２２０には入金硬貨識別部２５０が設けられており、繰出ホッパ２１２から硬貨搬送部２２０に繰り出された硬貨は、入金硬貨識別部２５０により金種、正損、真偽等の識別が行われるようになっている。
【００６６】
図４に示すように、硬貨搬送部２２０における入金硬貨識別部２５０よりも下流側の箇所には入金リジェクト硬貨選別部２２８が設けられている。また、この入金リジェクト硬貨選別部２２８の下方には、入金リジェクト硬貨シュート（図示せず）が設けられており、入金リジェクト硬貨シュートの下方には、リジェクト硬貨が集積される入金リジェクト部（図示せず）が設けられている。入金硬貨識別部２５０によりリジェクト硬貨であると識別された硬貨や、入金硬貨識別部２５０により識別することができなかった硬貨は、入金リジェクト硬貨選別部２２８により硬貨搬送部２２０から入金リジェクト硬貨シュートに送られ、この入金リジェクト硬貨シュートから入金リジェクト部に硬貨が自重による落下によって送られる。入金リジェクト部に集積された硬貨は、硬貨筐体２０１の前面側から操作者が取り出すことができるようになっている。
【００６７】
また、硬貨搬送部２２０における入金リジェクト硬貨選別部２２８よりも下流側の箇所には、ソレノイドで開閉される、硬貨を選別するための複数の硬貨選別部２２９が設けられている。また、硬貨搬送部２２０の下流側端部には開口２２７が設けられている。そして、図６に示すように、硬貨選別部２２９（２２９ａ〜２２９ｅ）及び開口２２７の各々の下方にはそれぞれ入金硬貨シュート２２１が設けられている。入金硬貨識別部２５０により識別された硬貨は、それぞれ対応する各硬貨選別部２２９（２２９ａ〜２２９ｅ）により硬貨搬送部２２０からそれぞれの入金硬貨シュート２２１に送られるようになっている。また、いずれの硬貨選別部２２９でも選別されない硬貨は、下流側端部にある開口２２７に送られ、この開口２２７に対応する入金硬貨シュート（図６における最も右側の入金硬貨シュート２２１）に送られることとなる。なお、硬貨選別部２２９（２２９ａ〜２２９ｅ）では入金硬貨識別部２５０で識別可能なあらゆる硬貨を取り込むことができるような大きさとなっており、開口２２７は入金硬貨識別部２５０で識別可能なあらゆる硬貨を落下させることができるような大きさとなっている。
【００６８】
硬貨筐体２０１の内部において、各入金硬貨シュート２２１の下方には、１つの入金硬貨一時保留部２４０が設けられている。入金硬貨一時保留部２４０は、略直方体形状のものからなり、略水平方向に延びるようになっている。より具体的には、入金硬貨一時保留部２４０は、硬貨筐体２０１の前後方向（図６の左右方向）に細長く延びるようになっている。この入金硬貨一時保留部２４０は、６つの領域に区分けされている。そして、上流側の５つの領域（図６の左側にある５つの領域）の各々には５つの硬貨選別部２２９によって選別された硬貨が送られ、最下流の領域（図６の最も右側にある領域）には開口２２７から落下した硬貨が送られる。
【００６９】
入金硬貨一時保留部２４０は、図５の矢印に示すように硬貨筐体２０１の内部において略水平方向に移動することができるようになっている。より具体的には、図５に示すように、入金硬貨一時保留部２４０は、入金硬貨シュート２２１の真下の位置である第１の位置ａ、後述する硬貨収納繰出部（リサイクル部）２６０の真上の位置である第２の位置ｂ及び後述する仕切枠体２７０の真上の位置である第３の位置ｃの間で移動することができるようになっている。
【００７０】
また、入金硬貨一時保留部２４０の高さレベルよりも下方には、硬貨収納繰出部用シュート２２２及び直接搬送用シュート２２３が設けられている。そして、入金硬貨一時保留部２４０は、第２の位置ｂ又は第３の位置ｃに移動し、この入金硬貨一時保留部２４０で一時的に保留された硬貨を硬貨収納繰出部用シュート２２２又は直接搬送用シュート２２３に送るようになっている。
【００７１】
なお、硬貨収納繰出部用シュート２２２及び直接搬送用シュート２２３の各々も、入金硬貨一時保留部２４０の６つの領域に対応して、６つの通過領域に区分けされている。
【００７２】
図６に示すように、硬貨収納繰出部用シュート２２２の下方には６つの硬貨収納繰出部２６０（２６０ａ−２６０ｆ）が設けられている。そして、各硬貨収納繰出部２６０には硬貨が収納され、当該硬貨収納繰出部２６０内の硬貨は繰り出されるようになっている。なお、図５に示すように、硬貨収納繰出部２６０の各々は、硬貨収納繰出部２６０から繰り出される硬貨の金種の識別を行う出金識別部２６１を有している。この出金識別部２６１は、硬貨収納繰出部２６０内の搬送ベルト２６２により硬貨が上方に搬送される途中に設けられており、搬送ベルト２６２により上方に搬送される硬貨の金種、正損、真偽等の識別を行うようになっている。
【００７３】
硬貨収納繰出部２６０から繰り出された硬貨は、硬貨収納繰出部２６０の隣に設けられた仕切枠体２７０に送られるようになっている。仕切枠体２７０は、略直方体形状のものからなり、略水平方向に延びるようになっている。より具体的には、仕切枠体２７０は、硬貨筐体２０１の前後方向（図５の紙面の法線方向）に細長く延びるようになっている。仕切枠体２７０は、その上面及び下面が開口しており、硬貨収納繰出部２６０から繰り出された硬貨は仕切枠体２７０の上面の開口を介して当該仕切枠体２７０に送られるようになっている。また、入金硬貨一時保留部２４０から直接搬送用シュート２２３に送られた硬貨も仕切枠体２７０の上面の開口を介して当該仕切枠体２７０に送られるようになっている。
【００７４】
この仕切枠体２７０も６つの領域に区分けされている。そして、各仕切枠体は各硬貨収納繰出部２６０に対応して設けられている。また、各仕切枠体２７０は各直接搬送用シュート２２３にも対応して設けられている。
【００７５】
仕切枠体２７０は、図５の矢印に示すように硬貨筐体２０１の内部において略水平方向に移動することができるようになっている。より具体的には、仕切枠体２７０は、硬貨収納繰出部２６０や直接搬送用シュート２２３から硬貨が送られる第１の位置ｍ及び第１の位置ｍから略水平方向に外れた第２の位置ｎの間で移動させることができるようになっている。
【００７６】
また、仕切枠体２７０の下方には、この仕切枠体２７０の下面の開口を塞ぐための底板２７１が設けられている。底板２７１も、仕切枠体２７０と同様に、硬貨筐体２０１の内部において略水平方向に移動することができるようになっている。より具体的には、底板２７１は、第１の位置ｍにある仕切枠体２７０の下方にある第１の位置ｐ及び第２の位置ｎにある仕切枠体２７０の下方にある第２の位置ｑの間で移動させることができるようになっている。ここで、仕切枠体２７０が第１の位置ｍにあり、底板２７１が第１の位置ｐにあるときには、仕切枠体２７０の下面の開口が底板２７１により塞がれ、この仕切枠体２７０に硬貨が一時的に保留されることとなる。また、仕切枠体２７０及び底板２７１が同期して水平方向に移動し、仕切枠体２７０が第１の位置ｍから第２の位置ｎに移動するとともに、底板２７１が第１の位置ｐから第２の位置ｑに移動したときにも、仕切枠体２７０の下面の開口が底板２７１により塞がれたままであり、この仕切枠体２７０に硬貨が一時的に保留され続けることとなる。
【００７７】
図５に示すように、第１の位置ｐにある底板２７１の下方には、取出箱（特許請求の範囲の「出金部」に対応する。）２８０が設けられている。この取出箱２８０は、操作者が硬貨筐体２０１の前面側に引き出すことにより、硬貨筐体２０１から取り出すことができるようになっている。取出箱２８０は、略直方体形状のものからなり、略水平方向に延びるようになっている。より具体的には、取出箱２８０は、硬貨筐体２０１の前後方向（図５の紙面の法線方向）に細長く延びるようになっており、やはり６つの収容領域に区分けされている。ここで、取出箱の６つの収容領域の各々は、仕切枠体２７０の６つの領域に対応しており、仕切枠体２７０の各領域から取出箱の各収容領域へと硬貨が送られることとなる。
【００７８】
なお、取出箱２８０は、例えばソレノイド等により当該取出箱２８０の施錠を行う施錠部２８１を有している。施錠部２８１により取出箱２８０の施錠が行われると、操作者は、硬貨筐体２０１の前面側から取出箱２８０を取り出すことができなくなるようになっている。
【００７９】
ところで、仕切枠体２７０が第１の位置ｍにあるとともに、底板２７１が第２の位置ｑにあるときにおいて、硬貨収納繰出部２６０から仕切枠体２７０に繰り出された硬貨や、直接搬送用シュート２２３から仕切枠体２７０に送られた硬貨は、仕切枠体２７０を通過して、取出箱２８０の各硬貨収容領域に直接収容されることとなる。
【００８０】
また、図５に示すように、第２の位置ｑにある底板２７１の下方には、回収部２８５が設けられ、この回収部２８５には仕切枠体２７０から回収部用シュート２２５を介して硬貨が送られることとなる。回収部用シュート２２５は仕切枠体２７０の各硬貨領域から硬貨を一括して受け入れるようになっており、この回収部用シュート２２５から回収部２８５に各金種の硬貨が混合状態で送られるようになっている。
【００８１】
図７に示すように、硬貨処理装置２００は、様々な情報を記憶するための硬貨記憶部２５６と、この硬貨処理装置２００を制御する硬貨制御部２５５も有している。この硬貨制御部２５５には、硬貨入金部２１０、硬貨搬送部２２０、入金リジェクト硬貨選別部２２８、硬貨選別部２２９（２２９ａ〜２２９ｅ）、入金硬貨一時保留部２４０、硬貨識別部２５０、硬貨記憶部２５６、硬貨収納部２６０、仕切枠体２７０、底板２７１、取出箱２８０及び回収部２８５が接続されている。そして、硬貨制御部２５５は、これら硬貨入金部２１０、硬貨搬送部２２０、入金リジェクト硬貨選別部２２８、硬貨選別部２２９（２２９ａ〜２２９ｅ）、硬貨識別部２５０、硬貨記憶部２５６、入金硬貨一時保留部２４０、硬貨収納部２６０、仕切枠体２７０、底板２７１、取出箱２８０及び回収部２８５から情報を取得したり、これらに対して指令を与えたりするようになっている。なお、硬貨処理装置２００には操作端末４００が接続されており、硬貨処理装置２００はこの操作端末４００を介して上位サーバ等の上位装置５００に接続されている。そして、硬貨処理装置２００には操作端末４００や上位装置５００から指令が送られ、硬貨処理装置２００からは操作端末４００や上位装置５００に様々な情報が送られるようになっている。
【００８２】
上述したように特許請求の範囲の「分岐搬送機構」は、筐体内で貨幣を所定の搬送路に沿って搬送するための機構であり、本実施の形態の硬貨処理装置２００においては硬貨搬送部２２０及び硬貨選別部２２９を含む機構となっている。
【００８３】
図６に示す６つの硬貨収納部２６０（硬貨収納部２６０ａ−２６０ｆ）は、収納される硬貨の用途情報に対応付けられて設定されており、例えば、２つの硬貨収納部２６０を一組として、一対の硬貨収納部２６０が３つの用途情報に対応づけられて設定されてもよいし、６つの各々に対して用途情報を対応づけて設定してもよい。なお、一対の硬貨収納部２６０が３つの用途情報に対応づけられて設定される場合の例としては、硬貨収納部２６０ａ，２６０ｂが景品支払金を収納するために用いられ、硬貨収納部２６０ｃ，２６０ｄが両替資金を収納するために用いられ、硬貨収納部２６０ｅ，２６０ｆが予備資金を収納するために用いられる。そして、硬貨に関しては売上金を計上しない態様を採用することが考えられる。
【００８４】
上述した硬貨記憶部２５６は、入金された硬貨を収納する硬貨収納部２６０の優先順位を記憶するようになっている。そして、硬貨制御部２５５は、硬貨識別部２５０で識別された情報及び硬貨記憶部２５６に記憶された情報に基づいて、硬貨識別部２５０で識別された硬貨を対応する硬貨収納部２６０に収納するよう分岐搬送機構２２０，２２９を制御するようになっている。なお、硬貨制御部２５５は、予め定められた条件を満たさない硬貨を、優先順位にかかわらず、最も優先順位の低い硬貨収納部２６０に収納するよう分岐搬送機構２２０，２２９を制御するようになっていてもよい。ちなみに、予め定められた条件を満たさない硬貨とは、例えば、硬貨識別部２５０で識別可能であるが汚損していると判断された硬貨を挙げることができる。
【００８５】
硬貨記憶部２５６が最も優先順位の高い硬貨収納部２６０に収納される硬貨の金種及び合計金額を記憶し、硬貨制御部２５５が最も優先順位の高い硬貨収納部２６０に金種混合状態で当該合計金額の硬貨を収納するよう分岐搬送機構２２０，２２９を制御するようになっていてもよい。
【００８６】
また、硬貨記憶部２５６は、少なくとも一つの硬貨収納部２６０について収納される硬貨の金種別枚数を記憶していてもよい。一例としては、硬貨記憶部２５６が、上から２番目以降の優先順位にある硬貨収納部２６０であって下から２番目以上の優先順位にある硬貨収納部２６０に収納される硬貨の金種別枚数を記憶してもよい。また、硬貨記憶部２５６は、最も優先順位の高い硬貨収納部２６０に収納される硬貨の金種別枚数を記憶していてもよい。
【００８７】
また、硬貨制御部２５５は、上から２番目以降の優先順位にある硬貨収納部２６０であって下から２番目以上の優先順位にある硬貨収納部２６０に所定の金種の硬貨のみを収納するよう分岐搬送機構２２０，２２９を制御するようになっていてもよい。
【００８８】
本実施の形態の硬貨処理装置２００において硬貨を出金する際には、操作部４１０から硬貨収納部２６０を特定する情報を入力することで、特定された硬貨収納部２６０から硬貨が出金される。より具体的には、硬貨制御部２５５は、例えば、操作部４１０から硬貨収納部２６０を指定することで当該硬貨収納部２６０から硬貨を出金するように制御したり、操作部４１０から用途情報を指定することで当該用途情報に対応付けられた硬貨収納部２６０から硬貨を出金するよう制御したりする。
【００８９】
硬貨を硬貨収納部２６０から出金する際には様々な態様を採用することができる。一例としては、硬貨制御部２５５は、操作部４１０から硬貨収納部２６０を指定すると当該硬貨収納部２６０内の全ての硬貨を出金する、又は、操作部４１０から用途情報を指定すると当該用途情報に対応付けられた硬貨収納部２６０内の全ての硬貨を出金するよう制御するものを挙げることができる。
【００９０】
また、図４乃至図６に示したような態様とは異なり、硬貨収納部２６０から繰り出された出金用の硬貨に関して、例えば指定されていない金種からなる硬貨のように出金されるべきではない硬貨を適宜分別して出金しないようにすることができる態様においては、以下のような態様を採用することもできる。
【００９１】
具体的には、出金したい金額又は金種別枚数を指定することができるようになっており、（１）操作部４１０から硬貨収納部２６０と出金される硬貨の金額もしくは金種別枚数が指定されると、硬貨制御部２５５は、当該硬貨収納部２６０から指定された金額又は金種別枚数からなる硬貨を出金する、又は、（２）操作部４１０から用途情報と出金される硬貨の金額もしくは金種別枚数が指定されると、硬貨制御部２５５は、当該用途情報に対応付けられた硬貨収納部２６０から指定された金額又は金種別枚数からなる硬貨を出金するよう制御する態様を採用することもできる。
【００９２】
そして、このような態様においては、（１）操作部４１０から硬貨収納部２６０と出金される硬貨の金額又は金種別枚数が指定された場合であって、当該硬貨収納部２６０内に収納された硬貨の量では指定された金額又は金種別枚数の貨幣を出金できないときに、当該硬貨収納部２６０以外の他の硬貨収納部２６０に硬貨が収納されていても、硬貨が不足している旨を表示部４２０や外部の表示装置等の報知部で報知したり、又は、（２）操作部４１０から用途情報と出金される硬貨の金額又は金種別枚数が指定された場合であって、当該用途情報に対応付けられた硬貨収納部２６０内に収納された硬貨の量では指定された金額又は金種別枚数の貨幣を出金できないときに、当該用途情報に対応づけられた硬貨収納部２６０以外の他の硬貨収納部２６０に硬貨が収納されていても、硬貨が不足している旨を表示部４２０や外部の表示装置等の報知部で報知したりする態様を採用することができる。
【００９３】
また、このような態様とは異なり、（１）操作部４１０から硬貨収納部２６０と出金される硬貨の金額又は金種別枚数が指定された場合であって、当該硬貨収納部２６０内に収納された硬貨の量では指定された金額又は金種別枚数の貨幣を出金できないときに、硬貨制御部２５５が、当該硬貨収納部２６０以外の他の硬貨収納部２６０に硬貨が収納されていれば、自動的に又は操作部４１０から操作者によって入力される承認指令といった所定の指令を受けた後で、足りない金額又は金種別枚数の硬貨を当該他の硬貨収納部２６０から出金するよう制御したり、又は、（２）操作部４１０から用途情報と出金される硬貨の金額又は金種別枚数が指定された場合であって、当該用途情報に対応付けられた硬貨収納部２６０内に収納された硬貨の量では指定された金額又は金種別枚数の貨幣を出金できないときに、硬貨制御部２５５が、当該用途情報に対応づけられた硬貨収納部２６０以外の他の硬貨収納部２６０に硬貨が収納されていれば、自動的に又は操作部４１０から操作者によって入力される承認指令といった所定の指令を受けた後で、足りない金額又は金種別枚数の硬貨を当該他の硬貨収納部２６０から出金するよう制御したりする態様を採用することもできる。
【００９４】
本実施の形態の硬貨記憶部２５６は、各硬貨収納部２６０又は各用途情報に対応した出金権限及び回収権限も記憶している。このうち硬貨記憶部２５６に各用途情報に対応した出金権限及び回収権限が記憶されている態様を採用した場合には、当該用途情報は対応する硬貨収納部２６０に紐付けられている。そして、各硬貨収納部２６０内の硬貨は、当該硬貨収納部２６０に対応した出金権限を有する者のみが出金可能となり、また、回収権限を有する者のみが回収可能となる。
【００９５】
本実施の形態の硬貨制御部２５５は、最も優先順位の低い硬貨収納部２６０に他の硬貨収納部２６０に収納されない硬貨を収納するよう分岐搬送機構２２０，２２９を制御するようになっていてもよい。
【００９６】
なお、既に述べているように、回収方法としては様々な態様のものを採用することができる。そして、硬貨収納部２６０ａ−２６０ｆの各々又は少なくとも一つ以上が硬貨筐体２０１に対して着脱可能となっており（カセット式になっており）、当該硬貨収納部２６０ａ−２６０ｆを硬貨筐体２０１から取り外して機外に取り出した後で当該硬貨収納部２６０内の硬貨を取り出すことで硬貨を回収する方法や、硬貨収納部２６０内の硬貨を掴み取る等して機外に取り出すことで硬貨を回収する方法や、硬貨収納部２６０内の硬貨を取出箱２８０に送り、このように取出箱２８０に送られた硬貨を取り出すことで回収する方法等を挙げることができる。
【００９７】
《方法》
次に、本実施の形態の貨幣処理装置１を用いて貨幣を処理する態様の一例について説明する。以下で説明する「方法」及び「効果」に関しては、紙幣処理装置１００及び硬貨処理装置２００に関してまとめて説明する。既に述べたが、本願において「貨幣」とは、紙幣、硬貨、又は、紙幣及び硬貨の両方のことを意味していることから、以下では「貨幣」という文言を主に用いて説明する。
【００９８】
［入金処理］
最初に、入金処理について説明する。
【００９９】
まず、操作部４１０から操作者のＩＤ番号等の識別情報を入力するか、カード読取部４３０でカードを読み取らせることで操作者のＩＤ番号等の識別情報を読み取らせる（図２参照）。その後で、操作者が入金処理を選択し、入金部１１０，２１０に貨幣を投入する（図３及び図４参照）。この結果、入金部１１０，２１０から筐体１０１，２０１内に貨幣が繰り出される。なお、入金される貨幣は、パチンコ店の島端ボックス６２０、両替機６３０、自動販売機６４０等のパチンコ店内に設置された装置から回収された貨幣であることもあれば（図１参照）、銀行、警送、景品交換所、他店舗等の店外から回収された貨幣であることもある。また、入金処理が選択された後で、貨幣の回収先を特定する情報、例えば、操作者の識別情報というような「人」に関する識別情報、又は、パチンコ店の島端ボックス６２０の識別情報、両替機６３０の識別情報、パチンコ店の台間機６１０の識別情報等の「機器」に関する識別情報が入力されてもよい。
【０１００】
入金処理を行う際には、今回の入金処理で貨幣処理装置１に入金された合計金額である「現金計」が表示されたり、貨幣処理装置１に入金されるべき金額（「伝票計」「予定入金計」等）と「現金計」と貨幣処理装置１に入金されるべき金額との「差額」が表示されたりしてもよい。また、機器に関する識別情報を入力する場合には、当該機器に関して前回までの入金処理で貨幣処理装置１に入金された合計金額である「前回計」と、「現金計」及び「前回計」の合計である「総合計」が表示されたりしてもよい。なお、貨幣処理装置１に入金されるべき金額は、操作部４１０から操作者が手入力してもよいし、上位装置５００から貨幣処理装置１が受信してもよい。
【０１０１】
入金部１１０，２１０から筐体１０１，２０１内に繰り出された貨幣は、搬送部１２０，２２０で搬送される（図３及び図４参照）。そして、このように搬送部１２０，２２０で貨幣が搬送されている間に各貨幣の金種が識別部（入金識別部）１５０，２５０で識別された後で、入金一時保留部１６１，２４０で一時的に保留される（図３及び図５参照）。
【０１０２】
そして、操作部４１０から入金確定処理を行うことで入金一時保留部１６１，２４０において一時的に保留された貨幣は、複数の収納部１６０，２６０のうち対応する収納部１６０，２６０に収納される。なお、入金された貨幣のうち識別部１５０，２５０により正常な貨幣ではないと識別された貨幣や、識別部１５０，２５０により識別することができなかった貨幣は搬送部１２０，２２０から入金リジェクト部１７０（硬貨処理装置２００の入金リジェクト部に関しては図示せず。）に送られる。
【０１０３】
本実施の形態では、記憶部１５６，２５６で、入金された貨幣を収納すべき収納部１６０，２６０の優先順位が記憶されており、収納部１６０，２６０に貨幣を収納する際に、識別部１５０，２５０で識別された情報及び記憶部１５６，２５６に記憶された情報に基づいて、収納部１６０，２６０に貨幣を収納する（図３及び図４参照）。また、収納部１６０，２６０の優先順位は収納される貨幣の用途情報に対応付けて設定されており、一例として紙幣処理装置１００を用いて説明すると、パチンコ店における景品支払金を収納する収納部１６０ｂが最も優先順位が高く、パチンコ店における両替資金を収納する収納部１６０ｃが２番目に優先順位が高く、パチンコ店における予備資金を収納する収納部１６０ｄが３番目に優先順位が高く、パチンコ店における売上金を収納する収納部１６０ａが最も優先順位が低くなっている。
【０１０４】
より具体的には、本実施の形態の記憶部１５６，２５６は、最も優先順位の高い収納部１６０，２６０に収納される貨幣の金種及び合計金額を記憶している。そして、最も優先順位の高い収納部１６０，２６０、例えば景品支払金のための貨幣を収納する収納部１６０，２６０に金種混合状態で当該合計金額の貨幣が収納される。最も優先順位の高い収納部１６０，２６０に収納されるべき当該合計金額の貨幣が収納されるまで、入金部１１０，２１０から入金された貨幣が当該収納部１６０，２６０に収納され続ける。そして、収納されるべき当該合計金額の貨幣が最も優先順位の高い収納部１６０，２６０に収納されると、それ以降の貨幣は次の優先順位にある収納部１６０，２６０に搬送される。なお、設定された合計金額に達する前であっても、対象外の金種の貨幣は、２番目以降の優先順位にある収納部１６０，２６０へ搬送される。
【０１０５】
上述のように収納されるべき当該合計金額の貨幣が最も優先順位の高い収納部１６０，２６０に収納されると、次に、２番目の優先順位にある収納部１６０，２６０に貨幣が収納され始める。但し、本実施の形態では、上から２番目以降の優先順位にある収納部１６０，２６０であって下から２番目以上の優先順位にある収納部１６０，２６０に所定の金種の貨幣のみを収納するようになっていることから、２番目の優先順位にある収納部１６０，２６０には、所定の金種（例えば１０００円及び５０００円）からなる貨幣のみが収納されることとなり、その他の金種の貨幣は更に最も優先順位の低い収納部１６０，２６０で収納されることとなる。
【０１０６】
そして、２番目の優先順位にある収納部１６０，２６０に収納されるべき金種の貨幣が所定の枚数だけ収納されると、当該金種からなる貨幣が次以降の優先順位にある収納部１６０，２６０で収納されるべき金種である場合（例えば１０００円である場合）には、当該金種からなる貨幣は次以降の優先順位にある収納部１６０，２６０で収納され、当該金種からなる貨幣が次以降の優先順位にある収納部１６０，２６０で収納されるべき金種ではない場合（例えば５０００円である場合）には、当該金種からなる貨幣は最も優先順位の低い収納部１６０，２６０で収納されることとなる。
【０１０７】
そして、３番目の優先順位にある収納部１６０，２６０に、収納されるべき金種（例えば１０００円）の貨幣が所定の枚数だけ収納されると、それ以降における当該金種からなる貨幣は最も優先順位の低い収納部１６０，２６０で収納されることとなる。
【０１０８】
なお、予め定められた条件を満たさない貨幣に関しては、優先順位にかかわらず、最も優先順位の低い収納部１６０，２６０に収納するよう搬送部１２０，２２０で搬送される。
【０１０９】
入金処理が完了すると表示部４２０に入金明細が表示され、プリンタ等の印字部４５０によって当該入金明細が印字される（図２参照）。
【０１１０】
紙幣処理装置１００を用いた具体例を用いて、上記の工程について図３を利用しつつ説明する。
【０１１１】
なお、最も優先順位の高い紙幣収納部１６０ｂでは１０００円、５０００円及び１００００円の紙幣を所定の合計金額だけ収納し、２番目の優先順位にある紙幣収納部１６０ｃでは１０００円及び５０００円の各々を所定の枚数収納し、３番目の優先順位にある紙幣収納部１６０ｄでは１０００円を所定の枚数収納する態様を用いて説明する。
【０１１２】
まず、１０００円紙幣、５０００円紙幣及び１００００円紙幣が所定の合計金額になるまで、金種混合状態で最も優先順位の高い紙幣収納部１６０ｂに収納される。そして、所定の合計金額になるまで当該紙幣収納部１６０ｂに紙幣が収納されると、次以降に紙幣搬送部１２０で搬送される１０００円紙幣及び５０００円紙幣は２番目の優先順位にある紙幣収納部１６０ｃに収納され、次以降に紙幣搬送部１２０で搬送される１００００円紙幣は最も優先順位の低い紙幣収納部１６０ａに収納される。
【０１１３】
そして、２番目の優先順位にある紙幣収納部１６０ｃに１０００円紙幣が所定の枚数だけ収納されると、次以降に紙幣搬送部１２０で搬送される１０００円紙幣は３番目の優先順位にある紙幣収納部１６０ｄに収納される。また、２番目の優先順位にある紙幣収納部１６０ｃに５０００円紙幣が所定の枚数だけ収納されると、次以降に紙幣搬送部１２０で搬送される５０００円紙幣は最も優先順位の低い紙幣収納部１６０ａに収納される。
【０１１４】
そして、３番目の優先順位にある紙幣収納部１６０ｄに１０００円紙幣が所定の枚数だけ収納されると、次以降に紙幣搬送部１２０で搬送される１０００円紙幣は最も優先順位の低い紙幣収納部１６０ａに収納される。
【０１１５】
なお、流通量の少ない２０００円紙幣や紙幣識別部１５０で識別可能であるが汚損していると判断された紙幣は、上述した優先順位に関係なく、最も優先順位の低い紙幣収納部１６０ａに収納される。
【０１１６】
なお、記憶部１５６，２５６が最も優先順位の高い収納部１６０，２６０に収納される貨幣の「金種別枚数」を記憶している場合には、各金種に関して、最も優先順位の高い収納部１６０，２６０に収納されるべき枚数が収納されるまで、入金部１１０，２１０から入金された当該金種の貨幣が当該収納部１６０，２６０に収納され続ける。そして、ある金種の貨幣が収納されるべき枚数だけ最も優先順位の高い収納部１６０，２６０に収納されると、当該金種からなる貨幣が次以降の優先順位にある収納部１６０，２６０で収納されるべき金種である場合には当該収納部１６０，２６０で収納され、当該金種からなる貨幣が次以降の優先順位にある収納部１６０，２６０で収納されるべき金種ではない場合には最も優先順位の低い収納部１６０，２６０で収納されることとなる。
【０１１７】
この態様についても、図３を利用しつつ具体例を用いて説明する。
【０１１８】
まず、１０００円紙幣、５０００円紙幣及び１００００円紙幣の各々に関して、所定の枚数になるまで、金種混合状態で最も優先順位の高い紙幣収納部１６０ｂに収納される。そして、１０００円紙幣が所定の枚数だけ最も優先順位の高い紙幣収納部１６０ｂに収納されると、次以降に搬送される１０００円紙幣は２番目の優先順位にある紙幣収納部１６０ｃに収納される。同様に、５０００円紙幣が所定の枚数だけ最も優先順位の高い紙幣収納部１６０ｂに収納されると、次以降に搬送される５０００円紙幣は２番目の優先順位にある紙幣収納部１６０ｃに収納される。他方、１００００円紙幣が所定の枚数だけ最も優先順位の高い紙幣収納部１６０ｂに収納されると、次以降に搬送される１００００円紙幣は最も優先順位の低い紙幣収納部１６０ａに収納される。
【０１１９】
そして、２番目の優先順位にある紙幣収納部１６０ｃに１０００円紙幣が所定の枚数だけ収納されると、次以降に紙幣搬送部１２０で搬送される１０００円紙幣は３番目の優先順位にある紙幣収納部１６０ｄに収納される。また、２番目の優先順位にある紙幣収納部１６０ｃに５０００円紙幣が所定の枚数だけ収納されると、次以降に紙幣搬送部１２０で搬送される５０００円紙幣は最も優先順位の低い紙幣収納部１６０ａに収納される。
【０１２０】
そして、３番目の優先順位にある紙幣収納部１６０ｄに１０００円紙幣が所定の枚数だけ収納されると、次以降に紙幣搬送部１２０で搬送される１０００円紙幣は最も優先順位の低い紙幣収納部１６０ａに収納される。
【０１２１】
なお、流通量の少ない２０００円紙幣や紙幣識別部１５０で識別可能であるが汚損していると判断された紙幣は、上述した優先順位に関係なく、最も優先順位の低い紙幣収納部１６０ａに収納される。
【０１２２】
［出金処理又は回収処理］
次に、出金処理又は回収処理について説明する。なお、出金処理及び回収処理はともに貨幣処理装置１から貨幣を出金する処理であるが、出金処理は収納部１６０，２６０内の貨幣を繰り出して機外に出金することを意味するのに対して、回収処理では、収納部１６０，２６０内の貨幣を繰り出して機外に出金して回収することもあれば、収納部１６０，２６０の各々又は少なくとも一つ以上が筐体１０１，２０１に対して着脱可能となっており（カセット式になっており）、当該収納部１６０，２６０を筐体１０１，２０１から取り外して機外に取り出した後で当該収納部１６０，２６０内の貨幣を取り出すことで貨幣を回収することや、収納部１６０，２６０内の貨幣を掴み取る等して機外に取り出すことで貨幣を回収することもある。
【０１２３】
操作部４１０から操作者のＩＤ番号等の識別情報を入力するか、カード読取部４３０でカードを読み取らせることで操作者のＩＤ番号等の識別情報を読み取らせる（図２参照）。その後で、操作者が操作部４１０から出金処理又は回収処理を選択するとともに、収納部１６０，２６０を特定する情報を入力する。より具体的には、操作者が操作部４１０から出金処理又は回収処理を選択するとともに、操作部４１０から収納部１６０，２６０又は用途情報を直接指定して特定する。なお、用途情報が指定された場合には、当該用途情報に関連づけられた収納部１６０，２６０が特定されることとなる。
【０１２４】
上述したように操作者が操作部４１０から収納部１６０，２６０又は用途情報を指定すると、例えば、特定された収納部１６０，２６０から貨幣が繰り出されて出金処理又は回収処理が行われるか、特定された収納部１６０，２６０から貨幣が回収可能な状態となる。なお、記憶部１５６，２５６が各収納部１６０，２６０又は各用途情報に対応した出金権限及び回収権限も記憶している場合には、各収納部１６０，２６０内の貨幣は、当該収納部１６０，２６０に対応した出金権限を有する者のみが出金可能となり、また、回収権限を有する者のみが回収可能となる。なお、操作者が出金権限を有さない収納部１６０，２６０について出金処理を行おうとした場合は、出金権限が無い旨の警告メッセージが表示部４２０で表示され、出金処理は実行されない。
【０１２５】
なお、貨幣を回収する際に特定された収納部１６０，２６０が筐体１０１，２０１から取り外し可能となる場合には、操作者によって当該収納部１６０，２６０が筐体１０１，２０１から前面側に引き出され、その後で当該収納部１６０，２６０が筐体１０１，２０１から取り外される（図３及び図６参照）。その後、当該収納部１６０，２６０内の貨幣が回収される。
【０１２６】
他方、特定された収納部１６０，２６０から貨幣が繰り出されて回収される態様を採用した場合には、例えば、操作者が操作部４１０から収納部１６０，２６０を指定すると当該収納部１６０，２６０が全ての貨幣を繰り出して出金したり、操作部４１０から用途情報を指定すると当該用途情報に対応付けられた収納部１６０，２６０が全ての貨幣を繰り出して出金したりする（図３、図５及び図６参照）。
【０１２７】
また、別の例としては、操作部４１０から出金したい金額又は金種別枚数を指定することができるようになっており、操作者が操作部４１０から収納部１６０，２６０と出金される貨幣の金額もしくは金種別枚数が指定することで、当該収納部１６０，２６０から指定された金額又は金種別枚数からなる貨幣を出金したり、操作者が操作部４１０から用途情報と出金される貨幣の金額もしくは金種別枚数が指定することで、当該用途情報に対応付けられた収納部１６０，２６０から指定された金額又は金種別枚数からなる貨幣を出金したりする。
【０１２８】
このような態様においては、指定された収納部１６０，２６０内に収納された貨幣の量では指定された金額又は金種別枚数の貨幣を出金できないときに、当該収納部１６０，２６０以外の他の収納部１６０，２６０に貨幣が収納されていても、貨幣が不足している旨を表示部４２０や外部の表示装置等の報知部で報知したり、指定された用途情報に対応付けられた収納部１６０，２６０内に収納された貨幣の量では指定された金額又は金種別枚数の貨幣を出金できないときに、当該用途情報に対応づけられた収納部１６０，２６０以外の他の収納部１６０，２６０に貨幣が収納されていても、貨幣が不足している旨を表示部４２０や外部の表示装置等の報知部で報知したりしてもよい。
【０１２９】
このような態様とは異なり、指定された収納部１６０，２６０内に収納された貨幣の量では指定された金額又は金種別枚数の貨幣を出金できないときに、当該収納部１６０，２６０以外の他の収納部１６０，２６０に貨幣が収納されていれば、自動的に又は操作部４１０から操作者によって入力される承認指令といった所定の指令を受けた後で、足りない金額又は金種別枚数の貨幣を当該他の収納部１６０，２６０から出金したり、指定された用途情報に対応付けられた収納部１６０，２６０内に収納された貨幣の量では指定された金額又は金種別枚数の貨幣を出金できないときに、当該用途情報に対応づけられた収納部１６０，２６０以外の他の収納部１６０，２６０に貨幣が収納されていれば、自動的に又は操作部４１０から操作者によって入力される承認指令といった所定の指令を受けた後で、足りない金額又は金種別枚数の貨幣を当該他の収納部１６０，２６０から出金したりしてもよい。
【０１３０】
なお、操作部４１０から出金したい金額又は金種別枚数を指定することができる場合であっても、操作部４１０から収納部１６０，２６０に収納された貨幣の全てを出金することを選択できるようになっていてもよい。この場合には、操作者が収納部１６０，２６０又は用途情報を指定して、対応する収納部１６０，２６０に収納された貨幣の全てを出金することを選択することで、当該収納部１６０，２６０内に収納された貨幣の全てが出金されることとなる。
【０１３１】
出金処理又は回収処理が完了すると表示部４２０に出金明細又は回収明細が表示され、プリンタ等の印字部４５０によって当該出金明細又は回収明細が印字される（図２参照）。
【０１３２】
《効果》
次に、上述した構成からなる本実施の形態によって達成される効果であって、まだ述べていない効果又はとりわけ重要な効果について説明する。
【０１３３】
本実施の形態によれば、記憶部１５６，２５６が入金された貨幣を収納する収納部１６０，２６０の優先順位を記憶し、制御部１５５，２５５が、識別部１５０，２５０で識別された情報及び記憶部１５６，２５６に記憶された情報に基づいて、識別部１５０，２５０で識別された貨幣を収納部１６０，２６０に収納するよう分岐搬送機構１２０，１２９，２２０，２２９を制御する（図３及び図４−図６参照）。このため、収納部１６０，２６０内に収納された貨幣を、収納部１６０，２６０内に収納した状態のままで例えば用途に対応して区分けすることができる。
【０１３４】
また、本実施の形態によれば、記憶部１５６，２５６が、少なくとも一つの収納部１６０，２６０について定まった収納される貨幣の金種別枚数を記憶する。このため、所定の収納部１６０，２６０に関しては、定まった金種の貨幣を定まった枚数だけ収納することができる。
【０１３５】
本実施の形態では、記憶部１５６，２５６が最も優先順位の高い収納部１６０，２６０に収納される貨幣の金種及び合計金額を記憶し、制御部１５５，２５５が最も優先順位の高い収納部１６０，２６０に金種混合状態で当該合計金額の貨幣を収納するよう分岐搬送機構１２０，１２９，２２０，２２９を制御するようにしてもよい。このような態様によれば、例えば景品支払金に用いるための貨幣を最も優先順位の高い収納部１６０，２６０に収納するとともに、この収納部１６０，２６０には、所定の合計金額の貨幣を金種混合状態で収納させることができ、景品支払金となる貨幣を混合金種で提供することができる。
【０１３６】
なお、記憶部１５６，２５６は、最も優先順位の高い収納部１６０，２６０に収納される貨幣の金種別枚数を記憶していてもよい。このような態様によれば、例えば景品支払金に用いるための貨幣を収納するための収納部１６０，２６０に、所定の金種の貨幣を予め定まった枚数だけ混合で収納することができる。
【０１３７】
また、本実施の形態では、記憶部１５６，２５６が上から２番目以降の優先順位にある収納部１６０，２６０であって下から２番目以上の優先順位にある収納部１６０，２６０に収納される貨幣の金種別枚数を記憶し、制御部１５５，２５５が上から２番目以降の優先順位にある収納部１６０，２６０であって下から２番目以上の優先順位にある収納部１６０，２６０に所定の金種の貨幣のみを収納するよう分岐搬送機構１２０，１２９，２２０，２２９を制御するようにしてもよい。このような態様によれば、例えば両替資金や予備資金に用いるための貨幣を収納する収納部１６０，２６０に、所定の金種の貨幣のみを収納させることができる。このため、例えば両替資金や予備資金に用いるための貨幣の金種を限定することができ、ひいては、両替資金を補充したり予備資金を補充したりする作業の効率を高めることができる。
【０１３８】
また、本実施の形態では、制御部１５５，２５５が、予め定められた条件を満たさない貨幣を、優先順位にかかわらず、最も優先順位の低い収納部１６０，２６０に収納するよう分岐搬送機構１２０，１２９，２２０，２２９を制御する。ちなみに、予め定められた条件を満たさない貨幣とは、例えば、識別部１５０，２５０で流通量の少ない金種であると判断された貨幣であったり、識別部１５０，２５０で識別可能であるが汚損していると判断された貨幣であったりする。このため、本実施の形態によれば、流通量の少ない金種の貨幣や汚損している貨幣等の予め定められた条件を満たさない貨幣を最も優先順位の低い収納部１６０，２６０で収納することができ、予め定められた条件を満たさない貨幣を例えば市場から回収して再び市場で流通しないようにすることができる。
【０１３９】
なお、本実施の形態の制御部１５５，２５５は、最も優先順位の低い収納部１６０，２６０に、他の収納部１６０，２６０に収納されない貨幣を収納するよう分岐搬送機構１２０，１２９，２２０，２２９を制御する。このため、本実施の形態によれば、貨幣処理装置１に入金された貨幣のうち例えば翌日の営業に必要な貨幣を差し引いた分を売上金として最も優先順位の低い収納部１６０，２６０に収納することができる。
【０１４０】
既に述べているように、本実施の形態では、収納部１６０，２６０は収納される貨幣の用途情報に対応付けて設定されてもよい。このように収納部１６０，２６０の各々を貨幣の用途情報に対応づけて設定することで、貨幣を各収納部１６０，２６０に用途別に収納することができ、後述するような出金処理を用途に合わせて行うことができる。
【０１４１】
本実施の形態の貨幣処理装置１で貨幣を出金する際には、操作部４１０から収納部１６０，２６０を特定する情報を入力する（図２参照）。そして、このように収納部１６０，２６０を特定する情報を入力することで、制御部１５５，２５５が、特定された収納部１６０，２６０から貨幣を出金するよう制御する。収納部１６０，２６０を特定する際には、操作部４１０から収納部１６０，２６０を直接指定することで特定してもよいし、操作部４１０から用途情報を指定することで当該用途情報に対応する収納部１６０，２６０を特定してもよい。収納部１６０，２６０を直接指定する場合であっても操作者が各収納部１６０，２６０内に収納されている貨幣の用途を知っている場合には、自己の要望する用途に合わせて収納部１６０，２６０から貨幣を繰り出して出金することができ、他方、用途情報を指定する場合には、仮に操作者が各収納部１６０，２６０内に収納されている貨幣の用途を知らなくても、操作者が自己の要望する用途に合わせて収納部１６０，２６０から貨幣を繰り出して出金することができる。
【０１４２】
一例として、制御部１５５，２５５は、操作部４１０から収納部１６０，２６０を指定すると当該収納部１６０，２６０内の全ての貨幣を出金する、又は、操作部４１０から用途情報を指定すると当該用途情報に対応付けて設定された収納部１６０，２６０内の全ての貨幣を出金するよう制御する（図３、図５及び図６参照）。このような態様を採用した場合には、収納部１６０，２６０や用途を指定するだけで、当該収納部１６０，２６０又は用途内の貨幣の全てを出金して回収することができ、迅速に回収作業を行うことができる。
【０１４３】
また、本実施の形態では、操作部４１０から収納部１６０，２６０と出金される貨幣の金額又は金種別枚数が指定されると、制御部１５５，２５５が、当該収納部１６０，２６０から指定された金額もしくは金種別枚数からなる貨幣を出金するよう制御する態様を採用することもできる。このような態様を採用した場合には、自己の希望する収納部１６０，２６０から直接自己の希望する金額又は金種別枚数からなる貨幣を繰り出して出金して回収することができる。また、操作部４１０から用途情報と出金される貨幣の金額又は金種別枚数が指定されると、制御部１５５，２５５が、当該用途情報に対応付けて設定された収納部１６０，２６０から指定された金額もしくは金種別枚数からなる貨幣を出金するよう制御する態様を採用することもできる。このような態様を採用した場合には、自己の希望する用途に対応する収納部１６０，２６０から自己の希望する金額又は金種別枚数からなる貨幣を繰り出して出金して回収することができる。
【０１４４】
そして、上述のような態様においては、操作部４１０から収納部１６０，２６０と出金される貨幣の金額又は金種別枚数が指定された場合であって、当該収納部１６０，２６０内に収納された貨幣の量では指定された金額又は金種別枚数の貨幣を出金できないときに、当該収納部１６０，２６０以外の他の収納部１６０，２６０に貨幣が収納されていても、貨幣が不足している旨を表示部４２０や外部の表示装置等の報知部で報知する態様を採用することもできる。このような態様を採用した場合には、希望している金額又は金種別枚数からなる貨幣を出金することができない旨を伝えつつ、自己の希望する収納部１６０，２６０のみから貨幣を繰り出して出金することを徹底することができる。また、操作部４１０から用途情報と出金される貨幣の金額又は金種別枚数が指定された場合であって、当該用途情報に対応付けられた収納部１６０，２６０内に収納された貨幣の量では指定された金額又は金種別枚数の貨幣を出金できないときに、当該用途情報に対応づけられた収納部１６０，２６０以外の他の収納部１６０，２６０に貨幣が収納されていても、貨幣が不足している旨を表示部４２０や外部の表示装置等の報知部で報知する態様を採用することもできる。このような態様を採用した場合には、希望している金額又は金種別枚数からなる貨幣を出金することができない旨を伝えつつ、自己の希望する用途に対応する収納部１６０，２６０のみから貨幣を繰り出して出金することを徹底することができる。
【０１４５】
また、上述のような態様とは異なり、操作部４１０から収納部１６０，２６０と出金される貨幣の金額又は金種別枚数が指定された場合であって、当該収納部１６０，２６０内に収納された貨幣の量では指定された金額又は金種別枚数の貨幣を出金できないときに、制御部１５５，２５５が、当該収納部１６０，２６０以外の他の収納部１６０，２６０に貨幣が収納されていれば、「自動的」に又は操作部４１０から操作者によって入力される承認指令といった「所定の指令」を受けた後で、足りない金額又は金種別枚数の貨幣を当該他の収納部１６０，２６０から出金するよう制御する態様を採用することもできる。また、操作部４１０から用途情報と出金される貨幣の金額又は金種別枚数が指定された場合であって、当該用途情報に対応付けられた収納部１６０，２６０内に収納された貨幣の量では指定された金額又は金種別枚数の貨幣を出金できないときに、制御部１５５，２５５は、当該用途情報に対応づけられた収納部１６０，２６０以外の他の収納部１６０，２６０に貨幣が収納されていれば、「自動的」に又は操作部４１０から操作者によって入力される承認指令といった「所定の指令」を受けた後で、足りない金額又は金種別枚数の貨幣を当該他の収納部１６０，２６０から出金するよう制御する態様を採用することもできる。「自動的」に他の収納部１６０，２６０から貨幣を出金する態様を採用する場合には、必要な金額又は金種別枚数の貨幣を、自己の希望する収納部１６０，２６０又は自己の希望する用途に対応する収納部１６０，２６０から優先的に繰り出して出金するとともに、不足分のみを他の収納部１６０，２６０から繰り出して出金することができる。また、承認指令といった「所定の指令」が操作部４１０から入力されることで他の収納部１６０，２６０から貨幣を出金する態様を採用する場合には、必要な金額又は金種別枚数の貨幣を、自己の希望する収納部１６０，２６０又は自己の希望する用途に対応する収納部１６０，２６０から優先的に繰り出して出金しつつ、不足する貨幣を他の収納部１６０，２６０から繰り出して出金するか否かを操作者が判断することができる。
【０１４６】
なお、不足する貨幣を出金するために利用される「他の収納部１６０，２６０」は、操作部４１０から指定できるようになっていてもよい。このような態様によれば、例えば収納されている貨幣の量が減っても影響の少ない収納部１６０，２６０を、操作者が自ら選択して不足する貨幣を繰り出して出金することができる。また、不足する貨幣を出金するために利用される「他の収納部１６０，２６０」が予め定まっており（例えば「売上金」を収納する収納部１６０，２６０又は「予備資金」を収納する収納部１６０，２６０に定まっており）、当該収納部１６０，２６０から不足する貨幣が繰り出されて出金されてもよい。このような態様によれば、例えば経験側的に収納されている貨幣の量が減っても影響の少ない収納部１６０，２６０から不足する貨幣を繰り出して出金することができる。
【０１４７】
本実施の形態の記憶部１５６，２５６は、各収納部１６０，２６０又は各用途情報に対応した出金権限及び回収権限も記憶していてもよい。そして、記憶部１５６，２５６に記憶されている各収納部１６０，２６０又は各用途情報に対応した出金権限及び回収権限に関する情報と、例えば操作部４１０から入力される担当者コード等の識別情報を照らし合わせて、出金又は回収しようとしている収納部１６０，２６０に対する権限を当該操作者が有するか否かを制御部１５５，２５５が判断するようにしてもよい。この場合には、制御部１５５，２５５が、操作者が対応する出金権限又は回収権限を有すると判断すると当該操作者による対象となっている収納部１６０，２６０からの貨幣の出金又は回収を許可し、他方、制御部１５５，２５５が、操作者が出金権限又は回収権限を有さないと判断すると当該操作者による対象となっている収納部１６０，２６０からの貨幣の出金又は回収を許可しない。既に述べているが、回収方法としては、例えば、筐体１０１，２０１に対して着脱可能となった収納部１６０，２６０を筐体１０１，２０１から取り外して機外に取り出した後で当該収納部１６０，２６０内の貨幣を取り出す態様や、収納部１６０，２６０内の貨幣を掴み取る等して機外に取り出す態様や、収納部１６０，２６０内の貨幣を搬送部１２０，２２０に繰り出して出金部１１０，２８０から出金する態様等を挙げることができる。
【０１４８】
仮に収納部１６０，２６０が筐体１０１，２０１に対して着脱可能となっており（カセット式になっており）、収納部１６０，２６０を筐体１０１，２０１から取り外して機外に取り出した後で当該収納部１６０，２６０内の貨幣を取り出すことで貨幣を回収する態様を採用した場合には、収納部１６０，２６０内の貨幣が人目に触れないことから高いセキュリティを実現することができ、回収された金額と補充された金額が合わないといった現金事故が発生した際の責任の所在を明確化することができる。他方、収納部１６０，２６０内の貨幣を搬送部１２０，２２０に繰り出して出金部１１０，２８０から出金して回収する態様を採用した場合には、上述したように金額や金種別枚数を指定して収納部１６０，２６０内の一部の貨幣を回収することができるし、また、貨幣を回収する際に扉やユニットを開閉する必要がないことから収納部１６０，２６０自体を回収する態様と比較して回収作業を容易にすることができる。
【０１４９】
上記では、入金処理及び出金処理の両方を行うことができる貨幣処理装置１を用いて説明したが、これに限られることはなく、貨幣処理装置１は入金処理のみを行うことができる貨幣入金装置であってもよいし、出金処理のみを行うことができる貨幣出金装置であってもよい。なお、貨幣処理装置１が貨幣入金装置である場合には、収納部１６０，２６０が筐体１０１，２０１から取り外し自在となった態様（カセット式）を採用すればよい。また、貨幣処理装置１が貨幣出金装置である場合には、予め貨幣を装填しておいて、当該貨幣が出金部１１０，２８０から出金されるような態様を採用すればよい。
【０１５０】
最後になったが、上述した実施の形態の記載及び図面の開示は、特許請求の範囲に記載された発明を説明するための一例に過ぎず、上述した実施の形態の記載又は図面の開示によって特許請求の範囲に記載された発明が限定されることはない。
【符号の説明】
【０１５１】
１０１          紙幣筐体
１１０          紙幣入出金部（入金部，出金部）
１２０          紙幣搬送部
１２９          分岐部材
１５０          紙幣識別部（識別部）
１５５          紙幣制御部（制御部）
１５６          紙幣記憶部（記憶部）
１６０          紙幣収納部（収納部）
２０１          硬貨筐体
２１０          硬貨入金部（入金部）
２２０          硬貨搬送部
２２９          硬貨選別部
２５０          硬貨識別部（識別部）
２５５          硬貨制御部（制御部）
２５６          硬貨記憶部（記憶部）
２６０          硬貨収納部（収納部）
２８０          取出箱（出金部）
３００          カセット解錠機
４００          操作端末
４１０          操作部
４２０          表示部
５００          上位装置
【図１】
2015179446.tif 000003
【図２】
2015179446.tif 000004
【図３】
2015179446.tif 000005
【図４】
2015179446.tif 000006
【図５】
2015179446.tif 000007
【図６】
2015179446.tif 000008
【図７】
2015179446.tif 000009
【図８】
2015179446.tif 000010